(57)【要約】  【課題】  トンネル火災時の換気制御に際し、管制員の換気制御の判断に対する負担を軽減する。  【解決手段】  トンネルで発生した火災の発生場所を検出し、前記火災の発生場所に応じたトンネル内のあるべき風向風速パターンをモニタ画面にグラフィック表示（白抜き矢印９１）すると共に、前記トンネルに設置されている換気設備に対して換気制御信号を出力する制御手段を備える。好適には、トンネル内に設置されている風向風速計の計測値データを前記あるべき風向風速パターンと共に前記モニタ画面（欄９４）に表示する。火災発生時に、目標とする風向風速パターンが表示されるため、管制員はこのパターンを参考にして換気制御の正否や要不要を判断でき、負担が軽減される。【選択図】  図３
2005050106.tif 000002
【特許請求の範囲】
【請求項１】
トンネルで発生した火災の発生場所を検出し、前記火災の発生場所に応じたトンネル内のあるべき風向風速パターンをモニタ画面にグラフィック表示すると共に、前記トンネルに設置されている換気設備に対して換気制御信号を出力する制御手段を備えることを特徴とするトンネル監視装置。
【請求項２】
前記制御手段は、トンネル内に設置されている風向風速計の計測値データを前記あるべき風向風速パターンと共に前記モニタ画面に表示することを特徴とする請求項１に記載のトンネル監視装置。
【請求項３】
前記換気制御信号は手動入力指示により前記換気設備に出力されることを特徴とする請求項１または請求項２に記載のトンネル監視装置。
【発明の詳細な説明】
【技術分野】
【０００１】
本発明は、トンネル火災発生時にトンネル内の風量や風向等を制御してトンネル内の換気を行うトンネル監視装置に係り、特に、トンネル内の換気に対する管制員の判断を支援し管制員の負担を軽減するのに好適なトンネル監視装置に関する。
【背景技術】
【０００２】
自動車用のトンネルには、下記特許文献１、特許文献２、特許文献３に記載されている様に、トンネル内で発生した渋滞や火災、事故等の異常を迅速に検出することができるように、各種センサや監視カメラが設置されている。
【０００３】
そして、これらセンサの検出信号や監視映像は、遠隔地に設けられた中央監視制御室に送信され、管制員が異常発生現場の撮影映像をモニタ画面で監視し、必要なときは制御指令信号を出力してトンネル設置の放水弁から火災地点に放水できる様になっている。
【０００４】
トンネル内で火災が発生した場合、火災発生地点における最適な風向、風速パターンに制御して延焼をくい止める必要があると共に、鎮火後には煙を迅速にトンネル外に排煙する必要がある。このため、長いトンネルには各所に換気所が設けられると共にトンネルの天井付近にジェットファン等の換気装置が設けられ、トンネル各所に設置されている風向風速計の計測値に基づいて換気装置を制御することが行われる。
【０００５】
この換気制御に際し、管制員は、火災発生地点とトンネル出入り口や換気所との間の位置関係、更に、トンネル内の車両渋滞状況等を考慮し、各換気装置の風量や風向をどの様に制御すればよいかを瞬時に判断しなければならない。
【０００６】
【特許文献１】特開平１１―１２０４５７号公報
【０００７】
【特許文献２】特開平２０００―９９８５１号公報
【０００８】
【特許文献３】特開２０００―２７１２４３号公報
【発明の開示】
【発明が解決しようとする課題】
【０００９】
しかしながら、長大なトンネルに設置されている各換気装置等の換気設備を制御しても、その制御結果がトンネル内の風向風速パターンとして現れるのに数分を要する。即ち、換気設備を制御した後、この制御の結果として得られる風向風速パターンが間違っていた場合、換気設備を制御し直しても手遅れになる虞が大きい。
【００１０】
このため、換気制御をどのように行うかを管制員が判断するとき、管制員には、より慎重で的確な判断が要求される。この判断は、火災発生という緊急事態が生じたとき、錯綜する様々な情報や警報の下で行わなければならず、管制員の負担を増大させる一因になっている。
【００１１】
本発明の目的は、管制員の判断を支援し、火災発生時等の非常事態下での管制員の負担を軽減することができるトンネル監視装置を提供することにある。
【課題を解決するための手段】
【００１２】
本発明のトンネル監視装置は、トンネルで発生した火災の発生場所を検出し、前記火災の発生場所に応じたトンネル内のあるべき風向風速パターンをモニタ画面にグラフィック表示すると共に、前記トンネルに設置されている換気設備に対して換気制御信号を出力する制御手段を備えることを特徴とする。
【００１３】
この構成により、管制員はモニタ画面に表示されている風向風速パターンを参考にして換気制御の有無や正否を判断でき、管制員の負担が軽減される。
【００１４】
本発明のトンネル監視装置の前記制御手段は、トンネル内に設置されている風向風速計の計測値データを前記あるべき風向風速パターンと共に前記モニタ画面に表示することを特徴とする。
【００１５】
この構成により、実際の風向風速パターンと、あるべき風向風速パターンとを比較することができ、換気制御が目標とする風向風速パターン即ちあるべき風向風速パターンに近づいているか否かが一目瞭然となり、換気設備が誤動作していたときでも迅速に対応可能となる。
【００１６】
本発明のトンネル監視装置は、前記換気制御信号は手動入力指示により前記換気設備に出力されることを特徴とする。
【００１７】
この構成により、換気制御を、管制員の判断を待って行うことができる。
【発明の効果】
【００１８】
本発明によれば、換気制御を行うときに、あるべき最適な風向風速パターンがグラフィック表示されるため、管制員はこの最適風向風速パターンを参考にすることができ、管制員の負担を軽減可能なトンネル監視装置を提供することができる。
【発明を実施するための最良の形態】
【００１９】
以下、本発明の一実施形態について、図面を参照して説明する。
【００２０】
図１は、自動車用の複数のトンネルを集中的に監視する中央監視制御室に設置される本発明の一実施形態に係るトンネル監視装置の構成図である。このトンネル監視装置１０は、管制員１１が操作する管制卓１２と、管制卓１２上に並べて設けられた３台の映像監視用のモニタ１３ａ、１３ｂ、１３ｃと、１台の設備表示用のモニタ１４と、１台のガイダンス表示用のモニタ１５と、管制卓１２内に設置され映像監視用のモニタ１３ａ、１３ｂ、１３ｃを制御する映像制御ユニット１６と、管制卓１２内に設置され映像制御ユニット１６と連携して設備表示用のモニタ１４及びガイダンス表示用のモニタ１５を制御すると共にトンネル監視制御を統括する制御手段としての演算ユニット１７とを備える。管制卓１２上には、管制員用の操作パネル１９が設けられている。
【００２１】
監視対象とするトンネルとして、Ａトンネル、Ｂトンネル、Ｃトンネル、…、Ｎトンネルがあり、図１には、Ａトンネル、Ｂトンネルの２つのトンネルのみを図示している。Ａトンネル、Ｂトンネル、…、Ｎトンネルには、夫々、風向風速計等の複数のセンサ２０が設けられると共に、天井付近には換気装置としてのジェットファン２１が所定間隔毎に設置されている。また、Ａトンネル、Ｂトンネル、…、Ｎトンネルは夫々所要区画毎に区分され、各区画毎に工業用の監視カメラ（ＩＴＶ）２２が設置されている。尚、火災消火用の放水弁等も設置されるが、図示は省略している。
【００２２】
Ａトンネル、Ｂトンネル、…、Ｎトンネルの各監視カメラ２２は、トンネル監視装置１０の映像制御ユニット１６と信号線２５により接続され、各センサ２０やジェットファン２１は、トンネル監視装置１０の演算ユニット１７に制御線２６により接続されている。図示の例では、換気設備としてジェットファン２１のみを示しているが、他の換気設備として排風装置や排煙設備などがあり、これらも制御線２６に接続され、演算ユニット１７からの換気制御信号によって駆動制御される。
【００２３】
また、図１には、トンネル内の風向風速を検出するセンサ２０のみを図示したが、その他のセンサとして、例えば、火炎検出用のセンサ、トンネル内に所定間隔で設置された非常押しボタンや消火栓起動ボタンの夫々の押下を検出するセンサ、消火器設置場所の扉の開閉検出センサ、避難路の扉の開閉検出センサ、非常電話のオフフック検出用センサ等が設けられており、これらのセンサも制御線２６に接続されている。
【００２４】
図２は、操作パネル１９の一例を示す図である。この操作パネル１９には、制御トンネル用パネル３０と、異常判定用パネル４０と、水噴霧制御用パネル５０と、模擬訓練時に使用する模擬訓練用スイッチ６０と、制御モードを半自動とするか手動とするかを入力する制御モードスイッチ７０と、運用制御権を選択する運用制御権スイッチ８０とが設けられている。
【００２５】
制御トンネル用パネル３０には、監視対象とする各トンネルの「上り」「下り」毎に選択表示用ランプ３１が配列されている。いずれかのトンネルで異常が発生し演算ユニット１７がそのトンネル及び異常発生区画を特定したとき、該当の選択表示用ランプ３１を点灯すると共に、映像監視用のモニタ１３ａ、１３ｂ、１３ｃに、異常の発生したトンネルに設置されている監視カメラの撮影映像を表示する。これにより、管制員は、映像監視用のモニタ１３ａ、１３ｂ、１３ｃに映っている映像がどのトンネルの「上り」車線あるいは「下り」車線の映像であるかを判断することができる。尚、選択表示用ランプ３１に夫々選択スイッチを併設し、監視するトンネルを手動選択できる構成としてもよい。
【００２６】
異常判定用パネル４０には、トンネル内で異常が発生したとき異常発生の区画番号を表示する表示部４１と、異常発生が誤報であったと管制員が判断したとき管制員が押す誤報スイッチ４２と、管制員が火災発生を認知したとき押す火災認知スイッチ４３と、火災が鎮火したと管制員が判断したとき押す火災鎮火スイッチ４４と、火災から復旧したと管制員が判断したとき押す火災復旧スイッチ４５と、管制員が事故発生を認知したとき押す事故スイッチ４６と、事故から復旧したと管制員が判断したとき押す事故復旧スイッチ４７と、管制員が防災盤が復旧したと判断したとき押す防災盤復旧スイッチ４８とが設けられている。
【００２７】
この異常判定用パネル４０には、更に、複数火災用パネル４９が設けられている。この複数火災用パネル４９には、複数火災が発生したとき、例えば、Ａトンネルで火災が発生している時にＢトンネルでも火災が発生したとき、この複数火災の発生を管制員に報知する複数火災発生表示ランプ４９ａと、複数火災が発生したとき各火災現場順にモニタ画面の表示切り替えを指示する複数火災表示切替スイッチ４９ｂとが設けられている。
【００２８】
水噴霧制御用パネル５０は、水噴霧放水弁を施錠するスイッチ５１と、この施錠を解除するスイッチ５２と、各区画毎に設けられている水噴霧放水弁からの放水を指示する放水指示スイッチ５４と、放水停止を指示する放水停止スイッチ５３と、放水指示対象となっている区画番号を表示する表示部５５とを備える。
【００２９】
この実施形態では、トンネル内のある区画で火災が発生したとき、その前後２区画分づつ合計５区画分の放水指示を直ぐに行える様に、放水指示スイッチ５４と放水停止スイッチ５３と表示部５５の組みが５組み水噴霧制御用パネル５０に用意されており、更にその前後の区画で放水する必要があったときは、矢印キー５６、５７で区画移動ができるようになっている。更に、この水噴霧制御用パネル５０には、放水時間表示用の表示部５８も設けられている。
【００３０】
図３は、Ａトンネルに設けられている換気設備や消火設備等の設備配置図の一例を示す図であり、管制卓１２内に設けられた図示しない大容量記憶装置には、監視対象となっているＡトンネル、Ｂトンネル、…、Ｎトンネル毎の設備配置データが予め格納されており、例えばＡトンネルに設置されたセンサ２０が火災発生を検知したとき、この火災発生の検知信号を受信した演算ユニット１７がＡトンネルの設備配置データを大容量記憶装置から読み出し、図１の設備表示用のモニタ１４に表示する。
【００３１】
設備表示用のモニタ１４はタッチパネルを備え、図３に例示される設備配置図上の該当個所が指でタッチされたとき、この該当個所に対応するスイッチ投入の信号がタッチパネルから演算ユニット１７に送信される。この信号を受信した演算ユニット１７は、タッチパネルから送信されてきた信号に対応する設備のオンオフ制御信号を該当設備に送信する。
【００３２】
図４は、Ａトンネルに設けられている設備の運用ガイダンスを示す図である。Ａトンネルで火災が発生したとき、火災が消火されるまでの設備運用のガイダンスをモニタ画面に表示することで、管制員を支援する。
【００３３】
Ａトンネル、Ｂトンネル、…Ｎトンネル毎に設置設備の種類や数等が異なるため、設備運用のガイダンスデータは、Ａトンネル、Ｂトンネル、…、Ｎトンネル毎に大容量記憶装置に予め格納されており、異常が発生したとき異常発生トンネルの運用ガイダンスデータが演算ユニット１７によって大容量記憶装置から読み出され、図１のガイダンス表示用のモニタ１５に表示される。
【００３４】
演算ユニット１７は、この図４の運用ガイダンスをガイダンス表示用のモニタ１５に表示したとき、先ず、事象検出処理手順で「警報ベル鳴動」「トンネル選択」「事象判定」の各処理ステップを演算ユニット１７が自動的に実行していることを管制員に報知するため、例えばこれらを赤色表示する。そして、これらの処理後に赤色表示を例えば緑色表示に変えて各処理が終わったことを管制員に知らせ、次に行うべき処理を赤色表示する。
【００３５】
図４の例では、次に行うべき処理は「火災認定」処理であり、この火災認定は管制員が行うため、管制員に火災認定を促すために、「火災認定」を点滅表示する。
【００３６】
Ａトンネルの或る区画で火災が発生したことを演算ユニット１７が検出したとき、演算ユニット１７は、図４の運用ガイダンスをモニタ１５に表示し、図３の設備配置図をモニタ１４に表示する。このとき同時に、Ａトンネルの火災発生区画に設置されている監視カメラ２２の撮影映像が映像監視用のモニタ１３ａに表示され、更に、この区画に関連する区画たとえば隣接区画に設置されている監視カメラの撮影映像が監視モニタ１３ｂ、１３ｃに表示される。
【００３７】
管制員がこれらの監視モニタ１３ａ、１３ｂ、１３ｃの映像を見て火災発生を認知したとき、図２に示す火災認知スイッチ４３を押下する。これにより、「火災認知」処理ステップが終了して、次の火災初期制御手順に進む。あるいは、管制員が監視モニタ１３ａ、１３ｂ、１３ｃの映像を見て火災発生が誤報であると認定したときは、図２の誤報スイッチ４２を押下し、以後の火災処理のステップを終了させる。
【００３８】
トンネル監視装置１０は、火災が誤報でなく、実際に火災が発生していると管制員が認知したとき、図４に示す処理ステップのうち必要な処理ステップを自動的に順に実行し、管制員の判断を仰ぐ処理ステップに来たとき、管制員が操作パネル１９から入力する指示を待機する。
【００３９】
演算ユニット１７は、管制員からの入力指示を待機するとき、操作パネル１９上で操作可能なスイッチのみを点滅表示して操作可能なスイッチがどれであるかを管制員に知らせ、それ以外のスイッチは、誤操作防止のためにロックしてしまう。更に、ロックしたスイッチを管制員が誤って押下しても、その入力信号はエラー扱いにして、無効とする。
【００４０】
管制員の判断を仰ぐ処理には、異常発生が誤報であるか否かの判断や、水噴霧および換気制御の要不要の判断、並びにこれら制御を行う区画の判断等があり、夫々人命に関わる。このため、管制員は、トンネルの長さや設置設備、その時の交通量に応じて臨機応変に対応する必要があるが、本実施形態の様に、管制員が重要判断を行うときに、管制員が採り得る選択肢に対応するスイッチが操作パネル１９上で明示されることで、管制員は他の選択肢を考慮する必要がなくなり、更に、他のスイッチがロックされることで誤操作の心配がなくなり、より沈着な判断が可能になる。
【００４１】
次に、上述した構成のトンネル監視装置で、例えばＡトンネルのある区画で火災が発生したときの演算ユニット１７の動作を説明する。
【００４２】
図５は、火災が発生したときに演算ユニット１７が実行する制御手順を示すフローチャートである。尚、このフローチャート中で、二重線枠で囲まれた処理は管制員（人）による処理である。
【００４３】
演算処理ユニット１７は、事故等の異常が発生していない状態では平常の運用処理を行っており、異常事象が発生すると、この異常事象の検出処理（ステップＳ１）に入る。異常事象の検出処理は、トンネル設置のいずれかのセンサが異常の発生を検知し演算ユニット１７に警報を通報したとき開始されるが、その他に、管制員がモニタ画面を監視している最中に異常発生を発見して異常発生を手操作入力したときにも開始される。
【００４４】
異常事象が検出されたとき、演算ユニット１７は、その異常が発生した区画を検出（ステップＳ２）する。各センサからの警報には、各センサ設置場所を示すコードが付加されており、警報を受信した演算ユニット１７は、警報のデータ解析を行うことで、警報発生場所すなわち異常事象の発生区画を検出する。
【００４５】
この異常事象の区画検出処理（ステップＳ２）と同時に、異常事象が検出された区画の監視カメラ及び隣接区画の監視カメラを選択（ステップＳ３）すると共に、アラーム音を中央監視制御室内に出力（ステップＳ４）する。
【００４６】
この結果、図６に示す様に、映像監視用のモニタ１３ａ、１３ｂ、１３ｃには異常発生区画及び隣接区画に設置されている監視カメラの撮影映像が表示されると共に、設備表示用のモニタ１４にはＡトンネルの設備データが表示され、その設備の運用ガイダンスがガイダンス表示用のモニタ１５に表示される。
【００４７】
次に、管制員は、映像監視用のモニタ１３ａ、１３ｂ、１３ｃを見ながら異常事象の状況確認を行い（ステップＳ５）、パトロールカー等への緊急指示などを行う。その後、管制員は、異常事象の判定処理（ステップＳ６）を行う。
【００４８】
管制員が異常事象の判定を行った結果、異常事象が火災である場合には図２の火災認知スイッチ４３を押下して火災認定処理（ステップＳ７）を行い、異常事象が事故である場合には図２の事故スイッチ４６を押下して事故認定処理（ステップＳ８）を行い、異常の通報が誤報である場合には図２の誤報スイッチ４２を押下して誤報処理（ステップＳ９）を行う。
【００４９】
図５では、異常事象の判定の結果、「火災」「事故」「誤報」の３つの処理に進む例を述べたが、その他にも、「故障車」「落下物」等の処理に進む手順を設けても良い。このとき、ガイダンス表示用のモニタ１５には、図４の設備運用ガイダンスが表示されており、今の例では、「火災認定」、「事故」、「故障車」「落下物」「誤報」の処理ステップが点滅表示され、管制員による手操作入力を待機する。
【００５０】
管制員が火災認知スイッチ４３を押下すると、次に、演算ユニット１７は、火災初期制御処理を自動的実行する。火災初期制御処理として、本実施形態では、照明制御処理（ステップＳ１０）と、換気制御処理（ステップＳ１１）と、警告表示処理（ステップＳ１２）と、消火ポンプ起動処理（ステップＳ１３）とが設けられている。
【００５１】
照明制御処理では、Ａトンネル内に設置されている照明具を増灯制御してトンネル内を明るくする。
【００５２】
換気制御ではＡトンネル内に設置されている各ジェットファン（換気装置）２１や図示を省略した排風装置等の換気設備を制御して火災鎮火に適切となる風向風量制御を行う。この風向風量制御は、演算ユニット１７が風向風速計２０の計測値を取り込んで自動制御することでもよく、また、管制員からの指示入力により、管制員による手動制御とすることもできる。この風向風量制御についての詳細は後述する。
【００５３】
警告表示処理では、トンネル入口やトンネル内に設置されている警告表示板に、例えば「Ａトンネルの第２０区画で火災発生」という表示を行い、消火ポンプ起動処理では、貯水層内の水を消火ポンプで吸い込み、何時でも放水弁から水噴霧放水ができるように準備する。
【００５４】
これらの火災初期制御処理が行われた後、管制員は、状況確認処理を行う（ステップＳ１４）。火災現場及びその近辺の撮影映像をモニタ画面で監視している管制員が、火災現場から避難する人を発見した場合には、この状況確認処理において、トンネル内設置の拡声器を用いて避難誘導を行う。
【００５５】
状況確認処理（ステップＳ１４）の後、放水弁からの水噴霧放水を行う等の火災消火制御処理（ステップＳ１５）を行い、鎮火した後に火災復旧制御（ステップＳ１６）を行い、平常の運用処理に戻る。火災復旧制御とは、例えば、照明を通常の照明に戻したり、排煙運転を行ったり、消火ポンプを停止させたりする制御である。
【００５６】
次に、上述した換気制御すなわち風向風量制御（ステップＳ１１）を行う場合の詳細について説明する。
【００５７】
トンネル内で火災が発生した場合、トンネルの長さや形状、出入り口の方角などと共に設置されている換気設備に応じた制御を行う必要がある。このため、各トンネル内における火災発生地点の場所に応じて、鎮火するのに最適となる風向風速パターンのデータが予め演算ユニット１７の内部メモリに格納されている。
【００５８】
そして、実際に火災が発生した時には、演算ユニット１７は、トンネル内各所に設置されている風向風速計２０の計測値を取り込み、トンネル内の現実の空気の流れを変えて上記の最適な風向風速パターン即ちあるべき風向風速パターンが実現されるように、換気設備の制御を自動的に実行する。
【００５９】
この換気制御の自動制御の開始に先立ち、本実施形態の演算ユニット１７は、実現しようとする上記の最適な風向風速パターンを、図４に示す様に、設備表示用のモニタ１４に表示する。
【００６０】
図４のモニタ表示において、左下に設けられた換気設備欄９０に、この例では４つの白抜き矢印９１で示したパターンが最適風向風速パターンである。このＡトンネルは、図４の上段に示す様に４７区画に分けられており、この４７区画を、この例では、Ｎ１、Ｎ２、…、Ｎ６の６つの換気区画９２に分けている。
【００６１】
各換気区画Ｎ１、…、Ｎ６には夫々複数のジェットファン２１や図示しない排風装置等の換気設備が設置されており、各換気設備を制御することで各換気区画内の風向風速パターンを制御し、トンネル全体の風向風量が最適パターンとなるように換気制御が実行される。
【００６２】
図４に示す例では、左端の白抜き矢印と２番目の白抜き矢印との間に矢印の無い空白欄があるのは、この空白欄に該当するトンネル内位置の風向風量を零にするのが最適であるということを示している。火災がこの場所で発生したときには、火災発生場所の風速を零にすることで、火災の延焼を防止することができるからである。
【００６３】
最適な風向風速パターンを、図示の様に矢印でグラフィック表示するとき、風量即ち風速を矢印９１の長さで表現してもよい。また、風量（風速）は、矢印９１の下の空欄９３に数値で表示してもよい。
【００６４】
最適な風向風速パターンの上部に対応して設けられた場所９４には、各換気区画で実際に計測された風向風量を表示する。例えば実際の風向風量は黒矢印で表示する。図示の例では、実際の風向風量は零であるため、黒矢印の表示はなく、風量は全区画で「０．０」となっている。
【００６５】
この様に、火災が発生したとき、火災発生地点に応じてトンネル内の風向風量のあるべきパターンがモニタ表示されるため、管制員はこの最適パターンを目視して確認することで、換気制御の正否を判断することができる。
【００６６】
換気制御は、そのときのトンネル内の車両渋滞状況に応じて適宜変更する必要がある。例えば、トンネルに排煙抗が設置されていない場合には、渋滞の有無に関わらず車両進行方向の風速を２ｍ／ｓにするが、排煙抗が設置されている場合には、車両渋滞が有るとき風速を０ｍ／ｓに制御し、車両渋滞が無いときには風速を２ｍ／ｓにする。
【００６７】
このように、換気制御を手動で変更する必要が生じたとき、管制員は、換気設備欄９０の左側にある「換気」スイッチ９５を指でタッチし、これにより現れた図７の「火災ノッチ」スイッチ９６を指でタッチする。これにより、各換気区画毎の換気手動制御を可能とする画面が現れる。
【００６８】
図７の例で、管制員は換気区画Ｎ３の手動制御を行うために換気区画Ｎ３の箇所を選択し、そして、「運転ノッチ」スイッチ９７をタッチすると、図８の画面に切り替わる。この画面において、例えば数字「１」をタッチすることで、換気区画Ｎ３の風量が換気設備の能力最大の風量に対して１０％の風量に制御することができる。
【００６９】
火災が鎮火した後や、火災発生中の煙の状態が酷いときには、排煙のための換気制御を行う必要がある。この場合には、管制員は、「排煙ノッチ」スイッチ９８をタッチする。これにより、図９の画面が表示され、排煙運転を行う換気区画の指定を行うことが可能となる。尚、排煙を行うときに、あるべき風向風速パターンをグラフィック表示することで、管制員はこのパターンを参考にして各換気設備の制御を手動指示することが容易となる。
【００７０】
この様に、本実施形態によれば、換気制御を行うに際し、あるべき最適な風向風速パターンがモニタ画面上でグラフィック表示されるため、管制員はこの最適風向風速パターンを参考にすることができ、管制員の負担が軽減される。
【００７１】
尚、上述した実施形態では、火災が発生したとき自動的に最適な風向風速パターンとなるように自動的に換気制御が実行され、この換気制御を管制員が手動変更する例を述べたが、本発明では自動制御の実行は必ずしも必要でなく、換気制御が必要となったとき管制員による手動制御の前に最適な風向風速パターンがグラフィック表示されればよい。
【産業上の利用可能性】
【００７２】
以上の様に、本発明に係るトンネル監視装置は、換気制御を行うときに、あるべき最適な風向風速パターンがグラフィック表示されるため、管制員はこの最適風向風速パターンを参考にすることができ、管制員の負担を軽減することができるという効果を有し、トンネル内の換気に対する管制員の判断を支援するトンネル監視装置として有用である。
【図面の簡単な説明】
【００７３】
【図１】本発明の一実施形態に係るトンネル監視装置の構成図
【図２】本発明の一実施形態に係るトンネル監視装置の操作パネルを示す図
【図３】本発明の一実施形態に係るトンネル監視装置で表示する設備配置図
【図４】本発明の一実施形態に係るトンネル監視装置で表示する設備運用ガイダンス図
【図５】本発明の一実施形態に係るトンネル監視装置で実行される制御手順のフローチャート
【図６】本発明の一実施形態に係るトンネル監視装置で異常警報を受信したときの動作説明図
【図７】本発明の一実施形態に係るトンネル監視装置で換気制御を行う区画を手動指定するときの画面表示例を示す図
【図８】本発明の一実施形態に係るトンネル監視装置で換気制御を行う風量を手動指定するときの画面表示例を示す図
【図９】本発明の一実施形態に係るトンネル監視装置で換気制御で排煙を行う区画を手動指定するときの画面表示例を示す図
【符号の説明】
【００７４】
１０  トンネル監視装置
１１  管制員
１２  管制卓
１３ａ、１３ｂ、１３ｃ  映像監視用のモニタ
１４  設備表示用のモニタ
１５  ガイダンス表示用のモニタ
１６  映像制御ユニット
１７  演算ユニット（制御手段）
１９  操作パネル
２０  センサ（風向風速計を含む）
２１  ジェットファン
２２  監視カメラ
３０  制御トンネル用パネル
４０  異常判定用パネル
４９  複数火災用パネル
５０  水噴霧制御用パネル
５１  鎖錠スイッチ（放水停止スイッチ）
５２  鎖錠解スイッチ（放水開始スイッチ）
【図１】
2005050106.tif 000003
【図２】
2005050106.tif 000004
【図３】
2005050106.tif 000005
【図４】
2005050106.tif 000006
【図５】
2005050106.tif 000007
【図６】
2005050106.tif 000008
【図７】
2005050106.tif 000009
【図８】
2005050106.tif 000010
【図９】
2005050106.tif 000011